(57)【要約】【課題】  動画像の構図を保ったまま再生することができるようにする。また、フレームレートの異なる動画像が混在しても、境界を気にすることなく連続して再生および特殊再生をしても動画像の構図を保ったまま再生することができるようにする。【解決手段】  入力画像情報をフレーム数に対応して縮小した縮小画像情報を生成する画像縮小手段と、前記縮小画像情報の同じ位置の画素を集めたブロックを生成するブロック生成手段と、前記ブロックをブロック内の画素が縮小画像情報での位置と同様に配置して１フレームの記録画像情報を生成する記録画像生成手段と、を有することを特徴とする画像処理装置。【選択図】  図１
2012156753.tif 000002
【特許請求の範囲】
【請求項１】
複数フレームの入力画像情報の同じ位置の画素を集めたブロックを入力画像情報の画素と同様に配置して１フレームの出力画像情報を生成することを特徴とする画像処理装置。
【請求項２】
入力画像情報のフレーム数とフレーム当たりの入力画像情報の画素数の積が出力画像情報の画素数以下であることを特徴とする請求項１に記載の画像処理装置。
【請求項３】
複数フレームの入力画像情報をフレーム数に対応する縮小率で入力画像情報を縮小した縮小画像情報を生成する画像縮小手段と、前記画像縮小手段によって生成された複数フレームの縮小画像情報の同じ位置の画素を集めたブロックを生成するブロック生成手段と、前記ブロック生成手段によって生成された複数のブロックをブロック内の画素が縮小画像情報での位置と同様に配置して１フレームの記録画像情報を生成する記録画像生成手段とを備えたことを特徴とする画像処理装置。
【請求項４】
さらに、前記ブロックに複数の画素がどのように格納されているかを表すブロック格納情報を記録画像情報に付加して複合記録画像情報を生成する複合記録画像生成手段と、前記複合記録画像生成手段によって生成された複合記録画像情報を記録媒体に記録する画像記録手段とを備えたことを特徴とする請求項３に記載の画像処理装置。
【請求項５】
記録媒体から複合記録画像情報を再生する画像再生手段と、前記再生手段が再生した複合記録画像情報を記録画像情報とブロック格納情報に分離する複合記録画像分離手段と、前記複合記録画像分離手段によって分離されたブロック格納情報により記録画像情報をブロックに分解する記録画像分解手段と、複数のブロックからブロック内の画素ごとに記録画像情報内でのブロックの位置と同様に配置して複数の縮小画像情報を復元する縮小画像復元手段とを備えたことを特徴とする画像再生装置。
【請求項６】
さらに、前記複合記録画像分離手段によって分離されたブロック格納情報に対応する拡大率で前記縮小画像復元手段によって復元された縮小画像情報を拡大した出力画像情報を生成する画像拡大手段を備えたことを特徴とする請求項５に記載の画像再生装置。
【請求項７】
さらに、前記複合記録画像分離手段によって分離されたブロック格納情報に対応するフレーム周波数で前記画像拡大手段によって生成された出力画像情報を出力する画像出力手段を備えたことを特徴とする請求項６に記載の画像再生装置。
【請求項８】
さらに、一定のフレーム周波数で前記画像拡大手段によって生成された出力画像情報を出力する画像出力手段を備えたことを特徴とする請求項６に記載の画像再生装置。
【発明の詳細な説明】
【技術分野】
【０００１】
本発明は、時間当たりのフレーム数（以下、フレームレート）の異なる動画像を混在して記録するための画像処理装置に関するものである。
【背景技術】
【０００２】
近年、瞬間的な出来事を撮影して記録するために、フレームレートを増やしたビデオカメラが開発されている。
【０００３】
そのような撮影装置で撮影した動画像を従来の記録装置に記録するために、例えば、特許文献１のように、通常の１枚の画面に複数の縮小した画面を配置して記録する方法が提案されている。
【先行技術文献】
【特許文献】
【０００４】
【特許文献１】特開２０００−１０６６４２号公報
【発明の概要】
【発明が解決しようとする課題】
【０００５】
しかしながら、前記方法によって記録された動画像を、前記方法に対応していない再生機で再生させた場合には、縮小された画像がタイル状に配置された再生となってしまうため鑑賞には適さない。
【０００６】
また、フレームレートの異なる動画像を連続して再生する場合には、タイル状の配置も異なるため、さらに見づらいものとなる。
【課題を解決するための手段】
【０００７】
これらの課題を解決するために、本発明における画像処理装置では、複数フレームの入力画像情報をフレーム数に対応する縮小率で入力画像情報を縮小した縮小画像情報を生成する画像縮小手段と、前記画像縮小手段によって生成された複数フレームの縮小画像情報の同じ位置の画素を集めたブロックを生成するブロック生成手段と、前記ブロック生成手段によって生成された複数のブロックをブロック内の画素が縮小画像情報での位置と同様に配置して１フレームの記録画像情報を生成する記録画像生成手段とを設けた。
【発明の効果】
【０００８】
これらの手段を設けたことにより、従来の再生機で再生した場合であっても、動画像の構図を保ったまま再生することができる。
【０００９】
また、フレームレートの異なる動画像が混在しても、境界を気にすることなく連続して再生および特殊再生をしても動画像の構図を保ったまま再生することができる。
【図面の簡単な説明】
【００１０】
【図１】本発明による画像記録再生装置のブロック図である。
【図２】画像縮小回路１１０の動作を説明するための図である。
【図３】画像縮小回路１１０に入力される入力画像情報と出力される縮小画像情報の関係を表した式である。
【図４】ブロック生成回路１２０の動作を説明するための図である。
【図５】ブロック生成回路１２０の動作を説明するための図である。
【図６】記録画像生成回路１３０の動作を説明するための図である。
【発明を実施するための形態】
【００１１】
［実施例］
図１は、本発明による画像記録再生装置のブロック図である。
【００１２】
図１において、１０は画像入力端子、２０はブロック生成情報入力端子、５０は記録媒体、６０は画像出力端子、７０は再生フレーム情報入力端子である。
【００１３】
また、１１０は画像縮小回路、１２０はブロック生成回路、１３０は記録画像生成回路、１４０は複合記録画像生成回路、１５０は画像記録回路である。
【００１４】
さらに、２１０は画像再生回路、２２０は複合記録画像分離回路、２３０は記録画像分解回路、２４０は縮小画像復元回路、２５０は画像拡大回路、２６０は画像出力回路である。
【００１５】
まず、本装置の記録動作について説明していく。
【００１６】
記録動作は、画像入力端子１０から入力された入力画像情報を、記録媒体５０に記録する動作である。
【００１７】
また、ブロック生成情報入力端子２０から入力されるブロック格納情報によって、各回路の動作が変わるようになっている。
【００１８】
この例では、フレームレートが通常の４倍である場合で説明する。
【００１９】
画像縮小回路１１０は、ブロック生成情報入力端子２０から入力されるブロック格納情報によって、縮小率を可変するようになっており、この例では、縦を２分の１、横を２分の１に縮小する場合である。
【００２０】
図２は、画像縮小回路１１０の動作を説明するための図である。
【００２１】
図２（Ａ）は、画像縮小回路１１０に入力される入力画像情報を、そして、図２（Ｂ）は、画像縮小回路１１０から出力される縮小画像情報を表している。
【００２２】
図２（Ａ）において、入力画像情報は、横は７２０、縦は４８０の画素から構成されており、Ａ（０，０）は最も左上の画素、Ａ（７１９，４７９）は最も右下の画素を表している。
【００２３】
そして、図２（Ｂ）において、縮小画像情報は、横は３６０、縦は２４０の画素から構成されており、Ｂ（０，０）は最も左上の画素、Ｂ（３５９，２３９）は最も右下の画素を表している。
【００２４】
また、それぞれの画素は、黒を１６、白を２３５の整数で表している。
【００２５】
以下、画素の表し方は、図２の表し方と同様とする。
【００２６】
図３は、画像縮小回路１１０に入力される入力画像情報と出力される縮小画像情報の関係を表した式である。
【００２７】
縮小画像情報の各画素は、入力画像情報の横２画素、縦２画素の矩形の４つの画素の平均値となっている。
【００２８】
ブロック生成回路１２０は、ブロック生成情報入力端子２０から入力されるブロック格納情報によって、ブロックの組み方が変化するようになっており、この例では、縦に２画素、横に２画素を配置する場合である。
【００２９】
図４および図５は、ブロック生成回路１２０の動作を説明するための図である。
【００３０】
図４において、Ｆ１、Ｆ２、Ｆ３、Ｆ４は、ブロック生成回路１２０に入力される連続する４つの縮小画像情報を表している。
【００３１】
ブロック生成回路１２０では、ブロック生成情報入力端子２０からのブロック格納情報に基づいて、連続する４つの縮小画像情報Ｆ１、Ｆ２、Ｆ３、Ｆ４それぞれから１画素ずつ集めて、ブロックを生成する。
【００３２】
図５は、ブロック生成回路１２０から出力されるブロックを表している。
【００３３】
それぞれのブロックは、それぞれの縮小画像情報において同じ位置の画素を集めて構成している。
【００３４】
４つの縮小画像情報から生成されるブロックは、横が３６０、縦が２４０のブロックの集合であって、合計で３６０×２４０ブロックである。
【００３５】
図６は、記録画像生成回路１３０の動作を説明するための図である。
【００３６】
記録画像生成回路１３０は、ブロック生成回路１２０からの横が３６０、縦が２４０のブロックの集合を図６のように配置して１枚の記録画像情報を構成する。
【００３７】
記録画像生成回路１３０も、ブロック生成情報入力端子２０からのブロック格納情報によって、ブロックの集合の配置の仕方を変えるようになっている。
【００３８】
複合記録画像生成回路１４０は、記録画像生成回路１３０からの記録画像情報を圧縮符号化して、さらに、ブロック生成情報入力端子２０からのブロック格納情報を付加して、複合記録画像情報を生成する。
【００３９】
画像記録回路１５０は、複合記録画像生成回路１４０からの複合記録画像情報を記録媒体５０に記録する。
【００４０】
次に、本装置の再生動作について説明していく。
【００４１】
再生動作は、記録媒体５０に記録されている複合記録画像情報を、再生して画像出力端子６０に出力する動作である。
【００４２】
また、再生フレーム情報入力端子７０から入力される再生するフレームを指示する情報に従って、再生タイミングを可変することもできる。
【００４３】
画像再生回路２１０は、記録媒体５０から複合記録画像情報を再生する。
【００４４】
複合記録画像分離回路２２０は、画像再生回路２１０からの複合記録画像情報を記録画像情報とブロック格納情報を分離して、記録画像情報を伸長復号化する。
【００４５】
記録画像分解回路２３０は、複合記録画像分離回路２２０からの伸長復号化された記録画像情報を、複合記録画像分離回路２２０からのブロック格納情報に基づいてブロックに分解する。
【００４６】
ここで、分解されたブロックは、横が３６０、縦が２４０のブロックの集合であって、合計で３６０×２４０ブロックである。
【００４７】
縮小画像復元回路２４０は、記録画像分解回路２３０からのブロックを複合記録画像分離回路２２０からのブロック格納情報に基づいて配置することで、連続する縮小画像情報を生成する。
【００４８】
ここで生成される連続する縮小画像情報は、横が３６０画素、縦が２４０画素の４枚の縮小画像情報が復元される。
【００４９】
画像拡大回路２５０は、縮小画像復元回路２４０によって生成された連続する縮小画像情報を拡大して出力画像情報を生成する。
【００５０】
画像縮小回路２５０は、複合記録画像分離回路２２０からのブロック格納情報に基づいて、拡大率を可変するようになっており、この例では、縦を２倍、横を２倍に拡大する場合である。
【００５１】
画像出力回路２６０は、画像拡大回路２５０によって生成された出力画像情報を複合記録画像分離回路２２０からのブロック格納情報に基づいて画像出力端子６０に出力する。
【００５２】
ここで、前記複合記録画像分離回路２２０からのブロック格納情報に対応するフレーム周波数で前記画像拡大回路２５０によって生成された出力画像情報を画像出力端子６０に出力することもできるし、あるいは、一定のフレーム周波数で前記画像拡大回路２５０によって生成された出力画像情報を画像出力端子６０に出力することもできる。
【００５３】
さらには、特殊再生するために再生フレーム情報入力端子７０から与えられる再生するフレームを指示する情報に従って、前記画像拡大回路２５０によって生成された出力画像情報を画像出力端子６０に出力することもできる。
【００５４】
以上、説明したように、本発明によれば、従来の再生機で再生した場合にも、画像の構図を保ったまま鑑賞することができる。
【００５５】
また、異なるフレームレートの動画像が混在しても、境界を気にすることなく連続して特殊再生を含む再生が可能となる。
【符号の説明】
【００５６】
１０…画像入力端子
２０…ブロック生成情報入力端子
５０…記録媒体
６０…画像出力端子
７０…再生フレーム情報入力端子
１１０…画像縮小回路
１２０…ブロック生成回路
１３０…記録画像生成回路
１４０…複合記録画像生成回路
１５０…画像記録回路
２１０…画像再生回路
２２０…複合記録画像分離回路
２３０…記録画像分解回路
２４０…縮小画像復元回路
２５０…画像拡大回路
２６０…画像出力回路
【図１】
2012156753.tif 000003
【図２】
2012156753.tif 000004
【図３】
2012156753.tif 000005
【図４】
2012156753.tif 000006
【図５】
2012156753.tif 000007
【図６】
2012156753.tif 000008